(57)【特許請求の範囲】
【請求項１】
起立状に設けられた人体型と、この人体型に装着させたシャツを前後からプレス仕上げする一対の熱板とを備えたシャツプレス仕上げ機であって、上記人体型の両側の上部に、人体型に装着させたシャツの袖の内方にスチームを噴射するためのノズルが設けられ、このノズルが、スチームの噴射孔を長手方向に沿って複数備えた管で形成されると共に、下部が人体型の内方に曲げられて下端が、装置本体の下部に設けられた放熱器の上方に配置され、このノズルの下端にドレーン孔が形成されたことを特徴とするシャツプレス仕上げ機。
【請求項２】
請求項１記載のシャツプレス仕上げ機であって、ノズルが銅管で形成され、この銅管の下端が潰し残されることでドレーン孔が形成されたことを特徴とするシャツプレス仕上げ機。
【請求項３】
請求項１又は２記載のシャツプレス仕上げ機であって、ノズルが扁平状の管で形成され、スチームの噴射孔が扁平状の面に形成されたことを特徴とするシャツプレス仕上げ機。
【請求項４】
請求項３記載のシャツプレス仕上げ機であって、スチームの噴射孔が、ノズルの長手方向に沿って複数列に形成されたことを特徴とするシャツプレス仕上げ機。
【発明の詳細な説明】
【０００１】
【発明の属する技術分野】
本発明は、シャツプレス仕上げ機に関し、更に詳しくは人体型を備え、シャツを人体型に装着させて立体仕上げするタイプのシャツプレス仕上げ機に関するものである。
【０００２】
【従来の技術】
従来この種の仕上げ機としては、例えば起立状に設けた人体型と、この人体型に装着させたシャツを前後からプレス仕上げする一対の熱板とを備えてなるものがある（例えば特開平４ー１３８２００号公報等参照）。
【０００３】
而してこの種の従来機においてシャツの袖を仕上げる場合は、タック部を人体型の側方に配設した熱鏝で固定し、その状態で袖の内部に熱風を供給して乾燥仕上げするのが通例であった。
【０００４】
【発明が解決しようとする課題】
従って従来機の場合、タック部以外の袖の部分を綺麗に仕上げるためには、袖が乾燥する前の、シャツが生渇きの状態で迅速に熱風仕上げする必要があった。
【０００５】
しかるに、従来シャツをプレス仕上げする場合は、例えばカラー等を専用の仕上げ機でプレス仕上げし、その後、この種の立体仕上げ機を用いて前身頃、後身後等をプレス仕上げする場合が少なくなかった。
【０００６】
従って従来は、シャツのカラー等を仕上げる間に袖が乾燥し、乾燥した状態の袖を熱風仕上げする、というケースが起き易かった。
その結果従来のこの種仕上げ機を使用すると、タック部以外の袖の皺を完全に除去し切れず、袖を綺麗に仕上げることができない、という問題点があった。
【０００７】
本発明は、このような従来品の問題点に鑑み、提案されたものである。
従って本発明の技術的課題は、袖の皺を完全に除去でき、袖を綺麗に仕上げることができるよう形成したシャツプレス仕上げ機を提供することにある。
【０００８】
【課題を解決するための手段】
本発明は、上記の課題を解決するために、次のような技術的手段を採る。
【０００９】
即ち本発明は、図１に示されるように、起立状に設けられた人体型１と、この人体型１に装着させたシャツ２を前後からプレス仕上げする一対の熱板３とを備えたシャツプレス仕上げ機であって、上記人体型１の両側の上部に、人体型１に装着させたシャツ２の袖２ａの内方にスチームを噴射するためのノズル６が設けられ、このノズル６が、スチームの噴射孔６ａを長手方向に沿って複数備えた管で形成されると共に、下部６ｂが人体型１の内方に曲げられて下端６ｃが、装置本体の下部に設けられた放熱器７の上方に配置され、このノズル６の下端６ｃにドレーン孔６ｄが形成されたことを特徴とする（請求項１）。
【００１０】
本発明は、ノズル６が、スチームの噴射孔６ａを長手方向に沿って複数備えた管で形成されているから、ノズル６を、簡単、低コストで形成できる。本発明の場合、スチームの噴射孔６ａは、丸孔でも、スリット状でも良い。又本発明の場合、スチームの噴射孔６ａは、等間隔に形成する場合には限られず、例えば図６に示されるように、袖２ａの肩口の中央に対応する箇所に集中して形成するのでも良く、その形成間隔は任意である。又ノズル６を管で形成する場合、管の形状、長さ、太さ等についても任意である。即ち本発明は、例えば管を湾曲させたり、円形状、渦状、螺旋状等に曲げてノズル６を形成するのでも良い。
【００１１】
本発明の場合は、ノズル６の下端６ｃが、放熱器７の上方に配置され、この下端６ｃにドレーン孔６ｄが形成されているから、液化したスチームの水滴が放熱器７の上面に落下し、放熱器７の熱で蒸発する。従ってこれによれば、ドレーンを効率良く処理でき、装置本体の下部を濡らすことがない。
【００１２】
又この場合本発明は、ノズル６が銅管で形成され、図４に示されるように、この銅管の下端６ｃが潰し残されることでドレーン孔６ｄが形成されるのが好ましい（請求項２）。
【００１３】
この場合は、銅管によってスチームの温度低下を防止でき、又ドレーン孔６ｄを簡単、低コストで形成できるからである。
【００１４】
又本発明は、図５に示されるように、ノズル６が扁平状の管で形成され、スチームの噴射孔６ａが扁平状の面６ｅに形成されるのが好ましい（請求項３）。
【００１５】
この場合は、管が扁平状であるから、スチームの噴射孔６ａを形成し易く、又噴射孔６ａを多数形成できるからである。
【００１６】
又この場合本発明は、スチームの噴射孔６ａが、図５Ａに示されるように、ノズル６の長手方向に沿って複数列に形成されるのが好ましい（請求項４）。
【００１７】
この場合は、袖２ａの内方にスチームを万遍なく噴射させ易く、ドレーンの発生を低減化できるからである。
【００１８】
【発明の実施の形態】
以下、本発明の好適な一実施形態を添付図面に従って説明する。
【００１９】
図１等において、１は、起立状に設けられた人体型である。又２はこの人体型１に装着させたワイシャツ等のシャツであり、３（図２参照）はこのシャツ２を前後からプレス仕上げする一対の熱板である。
【００２０】
上記の一対の熱板３は、シャツ２の前身頃をプレス仕上げするための前側用の熱板３ａと、後身頃をプレス仕上げするための後側用の熱板３ｂとで形成されている。前側用の熱板３ａは、シャツ２の装着、脱着操作を容易化できるよう、この実施形態では側方に退避動作自在に形成されている。
【００２１】
４は、人体型１の側方に設けられた左右一対のタック部用プレス鏝である。このタック部用プレス鏝４は、人体型１に対して拡開収縮動作自在に形成された腕４ａの上部に設けられている。又この実施形態では、人体型１の上方に、シャツ２の肩をプレス仕上げするための熱鏝５を備えてなる。
【００２２】
而して本発明は、図１に示されるように、人体型１の両側の上部に、人体型１に装着させたシャツ２の袖２aの内方にスチームを噴射するためのノズル６が設けられている。
【００２３】
ノズル６は、この実施形態では断面円形状の銅管で形成され、丸孔状のスチームの噴射孔６ａを、長手方向に沿って等間隔に複数備えて形成されている。又ノズル６は、その下部６ｂが人体型１の内方に曲げられ、下端６ｃが装置本体の下部に設けられた放熱器７の上方に配置されている。
【００２４】
又ノズル６は、図４に示されるように、その下端６ｃに、ドレーン孔６ｄが形成されている。このドレーン孔６ｄは、この実施形態では銅管の下端６ｃが潰し残されることで形成されている。
【００２５】
８は、スチームの供給源である。スチームは、この供給源８から経路９を経て送られ、分流器１０で二手に分岐され、人体型１の内部に配管された導入管１１を経て左右のノズル６に供給され、噴射孔６ａから袖２ａ内に噴射される。１２は、導入管１１とノズル６とを連結するエルボである。
【００２６】
上記の放熱器７は、スチームの供給源８から内部にスチームが供給され、外周面に形成されたフィン７ａから放熱される。この熱が送風機１３で熱風化され、この熱風が人体型１の内部を経て袖２ａに供給されるものである。
【００２７】
次に本発明仕上げ機の作用を説明する。
【００２８】
本発明は、スチームがスチームの供給源８から、経路９、分流器１０、導入管１１を経てノズル６に送られ、ノズル６の噴射孔６ａから袖２ａの内部に噴射される。シャツ２の袖２ａは、スチームで湿って蒸らされ、その後、熱風で乾燥仕上げされるものである。
【００２９】
又本発明の場合は、スチームが冷却して液化すると、ノズル６の下端６ｃのドレーン孔６ｄから排水される。この排水は、ドレーン孔６ｄの下方に設けられた放熱器７の上面に落下する。従ってドレーンは、この放熱器７の外表面の熱で蒸発するため、この実施形態の場合はドレーンで装置本体の下部が濡れることを防止できる。
【００３０】
【発明の効果】
以上説明したように本発明は、起立状に設けた人体型と、この人体型に装着させたシャツを前後からプレス仕上げする一対の熱板とを備えたシャツプレス仕上げ機において、人体型の両側の上部に、人体型に装着させたシャツの袖の内方にスチームを噴射するためのノズルを設け、このノズルを、スチームの噴射孔を長手方向に沿って複数備えた管で形成すると共に、下部を人体型の内方に曲げて下端を、装置本体の下部に設けた放熱器の上方に配置し、このノズルの下端にドレーン孔を形成したものである。
【００３１】
従って本発明の場合は、スチームで袖を湿らせ、その後、熱風で乾燥仕上げできるものである。その結果これを使用すれば、人体型に装着させるまでに袖が乾燥しても、袖に付いた皺を効率良く、且つ確実に除去でき、シャツの袖を綺麗に仕上げることができる。
【図面の簡単な説明】
【図１】本発明仕上げ機の好適な一実施形態を示す要部正面図である。
【図２】同上仕上げ機の斜視図である。
【図３】ノズルの正面図である。
【図４】図３のIVーIV線から見た要部断面図である。
【図５】ノズルの他の実施形態を示し、Ａは要部正面図、ＢはＡのＢーＢ線断面図である。
【図６】ノズルの更に他の実施形態を示し、Ａは要部正面図、Ｂは作用を表す要部側面図である。
【符号の説明】
１    人体型
２    シャツ
２ａ  袖
３    一対の熱板
６    ノズル
【図１】
0003796098.tif 000002
【図２】
0003796098.tif 000003
【図３】
0003796098.tif 000004
【図４】
0003796098.tif 000005
【図５】
0003796098.tif 000006
【図６】
0003796098.tif 000007